【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
コンテンションウィンドウサイズを決定する方法であって、
第１デバイスによって、第１サブバンドを占有する１つ以上のデータパケットを基準時間単位で１つ以上の第２デバイスへ送信することと、
前記第１デバイスによって、前記１つ以上の第２デバイスによってフィードバックされかつ前記１つ以上のデータパケットに対応する１つ以上のハイブリッド自動再送要求−確認応答（ＨＡＲＱ−ＡＣＫ）を受信することと、
前記第１デバイスによって、前記１つ以上のＨＡＲＱ−ＡＣＫに基づいて前記第１サブバンドのコンテンションウィンドウサイズを決定することと
を有する方法。
【請求項２】
前記第１デバイスによって、前記１つ以上のＨＡＲＱ−ＡＣＫに基づいて前記第１サブバンドのコンテンションウィンドウサイズを決定することは、
前記１つ以上のデータパケットに対応する前記第１サブバンドについての１つ以上のＨＡＲＱ状態に基づいて前記第１サブバンドの前記コンテンションウィンドウサイズを決定することを有し、
前記第１サブバンドの前記コンテンションウィンドウサイズは、次の情報：
前記１つ以上のデータパケットに対応する前記第１サブバンドについての前記１つ以上のＨＡＲＱ状態の中のＮＡＣＫの割合、又は
前記１つ以上のデータパケットに対応する前記第１サブバンドについての前記１つ以上のＨＡＲＱ状態の中のＡＣＫの割合、又は
前記１つ以上のデータパケットに対応する前記第１サブバンドについての前記１つ以上のＨＡＲＱ状態の中のＮＡＣＫの数、又は
前記１つ以上のデータパケットに対応する前記第１サブバンドについての前記１つ以上のＨＡＲＱ状態の中のＡＣＫの数、又は
前記１つのデータパケットに対応する前記第１サブバンドについてのＨＡＲＱ状態がＮＡＣＫであるかどうか、又は
前記１つのデータパケットに対応する前記第１サブバンドについてのＨＡＲＱ状態がＡＣＫであるかどうか
のうちの１つに基づいて決定され、
前記１つ以上のデータパケットに対応する前記第１サブバンドについての前記１つ以上のＨＡＲＱ状態は、前記１つ以上のＨＡＲＱ−ＡＣＫによって表される、
請求項１に記載の方法。
【請求項３】
前記１つ以上のデータパケットは、第１データパケットを含み、該第１データパケットは、前記第１サブバンドを含む複数のサブバンドにおいて運ばれ、前記１つ以上のＨＡＲＱ−ＡＣＫは、前記第１データパケットに対応するトランスポートブロック（ＴＢ）についてのＴＢ  ＨＡＲＱ−ＡＣＫを有する、
請求項１又は２に記載の方法。
【請求項４】
前記複数のサブバンドは、第２サブバンドを更に含み、当該方法は、
前記第１デバイスによって、前記ＴＢ  ＨＡＲＱ−ＡＣＫに基づいて前記第２サブバンドのコンテンションウィンドウサイズを決定することを更に有する、
請求項３に記載の方法。
【請求項５】
前記１つ以上のデータパケットは、第３データパケットを含み、該第３データパケットは、前記第１サブバンドを含む複数のサブバンドにおいて運ばれ、前記第３データパケットは、第１符号ブロックグループセットを有し、該第１符号ブロックグループセットは、前記第１サブバンドを占有する１つ以上の符号ブロックグループから成り、前記１つ以上のＨＡＲＱ−ＡＣＫは、前記第１符号ブロックグループセットの中の前記１つ以上の符号ブロックグループに対応する１つ以上のＣＢＧ  ＨＡＲＱ−ＡＣＫを有する、
請求項１乃至４のうちいずれか一項に記載の方法。
【請求項６】
前記第１符号ブロックグループセットは、前記第３データパケットにおいて前記第１サブバンドを占有しないＣＢＧを有さない、
請求項５に記載の方法。
【請求項７】
前記第１符号ブロックグループセットは、第１符号ブロックグループを含み、該第１符号ブロックグループは、前記第１サブバンド及び第４サブバンドを占有し、前記第３データパケットは、第２符号ブロックグループセットを更に有し、該第２符号ブロックグループセットは、前記第４サブバンドを占有する１つ以上の符号ブロックグループから成り、前記第２符号ブロックグループセットは、前記第１符号ブロックグループを含み、前記第１デバイスは、前記第１符号ブロックグループに対応するＣＢＧ  ＨＡＲＱ−ＡＣＫに基づいて前記第４サブバンドのコンテンションウィンドウサイズを更に決定する、
請求項５に記載の方法。
【請求項８】
コンテンションウィンドウサイズを決定する装置であって、
第１サブバンドを占有する１つ以上のデータパケットを基準時間単位で１つ以上の第２デバイスへ送信するよう構成される送信ユニットと、
前記１つ以上の第２デバイスによってフィードバックされかつ前記１つ以上のデータパケットに対応する１つ以上のハイブリッド自動再送要求−確認応答（ＨＡＲＱ−ＡＣＫ）を受信するよう構成される受信ユニットと、
前記１つ以上のＨＡＲＱ−ＡＣＫに基づいて前記第１サブバンドのコンテンションウィンドウサイズを決定するよう構成される処理ユニットと
を有する装置。
【請求項９】
前記処理ユニットは、前記１つ以上のデータパケットに対応する前記第１サブバンドについての１つ以上のＨＡＲＱ状態に基づいて前記第１サブバンドの前記コンテンションウィンドウサイズを決定するよう更に構成され、
前記第１サブバンドの前記コンテンションウィンドウサイズは、次の情報：
前記１つ以上のデータパケットに対応する前記第１サブバンドについての前記１つ以上のＨＡＲＱ状態の中のＮＡＣＫの割合、又は
前記１つ以上のデータパケットに対応する前記第１サブバンドについての前記１つ以上のＨＡＲＱ状態の中のＡＣＫの割合、又は
前記１つ以上のデータパケットに対応する前記第１サブバンドについての前記１つ以上のＨＡＲＱ状態の中のＮＡＣＫの数、又は
前記１つ以上のデータパケットに対応する前記第１サブバンドについての前記１つ以上のＨＡＲＱ状態の中のＡＣＫの数、又は
前記１つのデータパケットに対応する前記第１サブバンドについてのＨＡＲＱ状態がＮＡＣＫであるかどうか、又は
前記１つのデータパケットに対応する前記第１サブバンドについてのＨＡＲＱ状態がＡＣＫであるかどうか
のうちの１つに基づいて決定され、
前記１つ以上のデータパケットに対応する前記第１サブバンドについての前記１つ以上のＨＡＲＱ状態は、前記１つ以上のＨＡＲＱ−ＡＣＫによって表される、
請求項８に記載の装置。
【請求項１０】
前記１つ以上のデータパケットは、第１データパケットを含み、該第１データパケットは、前記第１サブバンドを含む複数のサブバンドにおいて運ばれ、前記１つ以上のＨＡＲＱ−ＡＣＫは、前記第１データパケットに対応するトランスポートブロック（ＴＢ）についてのＴＢ  ＨＡＲＱ−ＡＣＫを有する、
請求項８又は９に記載の装置。
【請求項１１】
前記複数のサブバンドは、第２サブバンドを更に含み、
前記処理ユニットは、前記ＴＢ  ＨＡＲＱ−ＡＣＫに基づいて前記第２サブバンドのコンテンションウィンドウサイズを決定するよう更に構成される、
請求項１０に記載の装置。
【請求項１２】
前記１つ以上のデータパケットは、第３データパケットを含み、該第３データパケットは、前記第１サブバンドを含む複数のサブバンドにおいて運ばれ、前記第３データパケットは、第１符号ブロックグループセットを有し、該第１符号ブロックグループセットは、前記第１サブバンドを占有する１つ以上の符号ブロックグループから成り、前記１つ以上のＨＡＲＱ−ＡＣＫは、前記第１符号ブロックグループセットの中の前記１つ以上の符号ブロックグループに対応する１つ以上のＣＢＧ  ＨＡＲＱ−ＡＣＫを有する、
請求項８乃至１１のうちいずれか一項に記載の装置。
【請求項１３】
前記第１符号ブロックグループセットは、前記第３データパケットにおいて前記第１サブバンドを占有しないＣＢＧを有さない、
請求項１２に記載の装置。
【請求項１４】
前記第１符号ブロックグループセットは、第１符号ブロックグループを含み、該第１符号ブロックグループは、前記第１サブバンド及び第４サブバンドを占有し、前記第３データパケットは、第２符号ブロックグループセットを更に有し、該第２符号ブロックグループセットは、前記第４サブバンドを占有する１つ以上の符号ブロックグループから成り、前記第２符号ブロックグループセットは、前記第１符号ブロックグループを含み、前記処理ユニットは、前記第１符号ブロックグループに対応するＣＢＧ  ＨＡＲＱ−ＡＣＫに基づいて前記第４サブバンドのコンテンションウィンドウサイズを更に決定する、
請求項１２に記載の装置。
【請求項１５】
プロセッサ及びメモリを有する通信装置であって、
前記メモリは、コンピュータ実行可能命令を記憶するよう構成され、
前記プロセッサは、当該通信装置が請求項１乃至７のうちいずれか一項に記載の方法を実行するように、前記メモリに記憶されている前記コンピュータ実行可能命令を実行するよう構成される、
通信装置。
【請求項１６】
コンピュータで実行されるときに、該コンピュータに、請求項１乃至７のうちいずれか一項に記載の方法を実行させるコンピュータプログラム。
【手続補正２】
【補正対象書類名】明細書
【補正対象項目名】０００３
【補正方法】変更
【補正の内容】
【０００３】
第５世代（5th  generation，５Ｇ）通信システム及びニュー・ラジオ（new  radio，ＮＲ）に基づく通信システムなどの将来の通信システムでは、データ通信は、免許不要周波数帯域リソースを使用することによって実行される可能性がある。免許不要周波数帯域リソースのためのリソース競合方法は、リッスン・ビフォア・トーク（listen  before  talk，ＬＢＴ、あるいは、チャネルリスニングと呼ばれる）規則を含む。以上の背景に基づいて、チャネルへの効率的なアクセス及び周囲の競合ノードとの友好的な共存を達成するために、免許不要周波数帯域で動作するｙＮＲシステムのためのコンテンションウィンドウ（contention  window，ＣＷ）サイズを決定する方法が、本願で解決されるべき課題である。
【手続補正３】
【補正対象書類名】明細書
【補正対象項目名】０００５
【補正方法】変更
【補正の内容】
【０００５】
第１の態様に従って、本願の実施形態は、第１デバイスによって、第１サブバンドを占有する１つ以上のデータパケットを基準時間単位で１つ以上の第２デバイスへ送信することと、第１デバイスによって、１つ以上の第２デバイスによってフィードバックされかつ１つ以上のデータパケットに対応する１つ以上のハイブリッド自動再送要求−確認応答ＨＡＲＱ−ＡＣＫを受信することと、第１デバイスによって、１つ以上のＨＡＲＱ−ＡＣＫに基づいて第１サブバンドのコンテンションウィンドウサイズを決定することとを含む、コンテンションウィンドウサイズ決定方法を提供する。
【手続補正４】
【補正対象書類名】明細書
【補正対象項目名】００５５
【補正方法】変更
【補正の内容】
【００５５】
具体的に、第１符号ブロックグループセットが、第１サブバンドを占有する１つ以上の符号ブロックグループを含むことは、第１符号ブロックグループセットが、全て第３データパケットに含まれる符号ブロックグループであってかつ第１サブバンドを占有する全ての符号ブロックグループを含むセットである、ことを意味する。
【手続補正５】
【補正対象書類名】明細書
【補正対象項目名】０１０１
【補正方法】変更
【補正の内容】
【０１０１】
プロセッサ２０１及びモデムプロセッサ３０４は、同じタイプのプロセッサであってよく、あるいは、異なるタイプのプロセッサであってよく、例えば、中央演算処理装置（central  processing  unit，ＣＰＵ）、汎用プロセッサ、デジタル信号プロセッサ（digital  signal  processor，ＤＳＰ）、特定用途向け集積回路（application-specific  integrated  circuit，ＡＳＩＣ）、フィールド・プログラマブル・ゲート・アレイ（field  programmable  gate  array，ＦＰＧＡ）若しくは他のプログラム可能な論理デバイス、トランジスタ論理デバイス、ハードウェア部品、他の集積回路、又はそれらの任意の組み合わせとして実装されてよい。プロセッサ２０１及びモデムプロセッサ３０４は、本願の実施形態で開示される内容を参照して記載される論理ブロック、モジュール、及び回路の様々な例を実装又は実行してよい。代替的に、プロセッサは、計算機能を実装するコンポーネントの組み合わせ、例えば、１つ以上のマイクロプロセッサの組み合わせ、ＤＳＰ及びマイクロプロセッサの組み合わせ、又はシステム・オン・ア・チップ（system-on-a-chip，ＳＯＣ）であってよい。
【手続補正６】
【補正対象書類名】明細書
【補正対象項目名】０１１３
【補正方法】変更
【補正の内容】
【０１１３】
免許不要の周波数帯域での隣接ノードとの友好的な共存と、チャネルアクセス効率の改善とのバランスをとるよう、送信ノードはＣＷＳを動的に調整し、次のチャネルリッスンのためにＣＷＳを使用する。具体的に、情報を送信する前に、送信ノードは、データパケットが送信された前回の基準時間単位を決定し、基準時間単位でデータパケットに基づいて受信ノードによってフィードバックされたＨＡＲＱ−ＡＣＫ（hybrid  automatic  repeat  request-acknowledgement，ＨＡＲＱ−ＡＣＫ）（又はＨＡＲＱ確認応答、ＨＡＲＱ情報、ＨＡＲＱフィードバック、ＨＡＲＱ確認応答フィードバック、ＨＡＲＱ受信状態、などと呼ばれる）に基づいてＣＷＳを動的に調整する。受信ノードは、ＨＡＲＱ−ＡＣＫを送信ノードへフィードバックし、それにより、送信ノードは、不正確に送信されたデータパケットを再送する。例えば、基準時間単位でのデータパケットに対応するＨＡＲＱ−ＡＣＫが確認応答（acknowledgement，ＡＣＫ）状態を含まないか、あるいは、否定応答（negative  acknowledgement，ＮＡＣＫ）状態の割合が比較的に大きいとき、送信ノードは、拡張されたリッスン期間を犠牲にして周囲の競合ノードとの衝突を回避するように、ＣＷＳを増大させ、次のＬＢＴ中に、増大されたＣＷに基づいてチャネルリッスンを実行し、それによって、周囲の競合ノードとの友好的な共存を実装する。基準時間単位でのデータパケットに対応するＨＡＲＱ−ＡＣＫがＡＣＫ状態を含むか、あるいは、ＮＡＣＫ状態の割合が比較的に小さいとき、送信ノードは、リッスン期間を短縮し、チャネルアクセス効率を改善するように、ＣＷＳを低減する。他の例として、送信ノードが基準時間単位について１つ以上のＡＣＫを受け取るとき、送信ノードはＣＷＳを低減し、送信ノードが基準時間単位について１つ以上のＮＡＣＫを受け取るとき、送信ノードはＣＷＳを増大させる。
【手続補正７】
【補正対象書類名】明細書
【補正対象項目名】０１２８
【補正方法】変更
【補正の内容】
【０１２８】
任意に、サブバンドは、受信デバイスがチャネルを測定する周波数領域単位である。例えば、サブバンドの粒度で受信デバイスによって実行されるチャネル測定は、チャネル品質指示（channel  quality  indication，ＣＱＩ）／プリコーディング行列指示（precoding  matrix  indication，ＰＭＩ）測定又は無線リソース管理（radio  resource  management，ＲＲＭ）測定を含む。言い換えれば、受信デバイスは、１つのサブバンドでＣＱＩ／ＰＭＩ／ＲＲＭ測定結果を報告する。言い換えれば、受信デバイスは、１つのサブバンドの限られた範囲内でＣＱＩ／ＰＭＩ／ＲＲＭ測定を実行し、交差サブバンド測定を実行しない。
【手続補正８】
【補正対象書類名】明細書
【補正対象項目名】０１４３
【補正方法】変更
【補正の内容】
【０１４３】
ステップ６０２：第１デバイスは、１つ以上の第２デバイスによってフィードバックされかつ１つ以上のデータパケットに対応する１つ以上のハイブリッド自動再送要求−確認応答ＨＡＲＱ−ＡＣＫを受信する。
【手続補正９】
【補正対象書類名】明細書
【補正対象項目名】０１６３
【補正方法】変更
【補正の内容】
【０１６３】
任意に、１つ以上のデータパケットの夫々は、第１サブバンドについての１つのＨＡＲＱ状態を有している。具体的に、１つ以上のデータパケットがｍ（ｍは正の整数である）個のデータパケットである場合に、第１デバイスは、ｍ個のデータパケットに対応する第１サブバンドについてのｍ個のＨＡＲＱ状態に基づいて、第１サブバンドのコンテンションウィンドウサイズを決定する。例えば、ｍ個のＨＡＲＱ状態において、ＮＡＣＫの割合が第１の前もってセットされた割合を超えるか、あるいは、ＡＣＫの割合が第２の前もってセットされた割合を超えないか、あるいは、ＮＡＣＫの数が第１の前もってセットされた閾数を超えるか、あるいは、ＡＣＫの数が第２の前もってセットされた閾数を超えないか、あるいは、ＡＣＫがないとき、第１サブバンドのコンテンションウィンドウサイズは増大されるべきである。他の例として、ｍ個のＨＡＲＱ状態において、ＮＡＣＫの割合が第１の前もってセットされた割合を超えないか、あるいは、ＡＣＫの割合が第２の前もってセットされた割合を超えるか、あるいは、ＮＡＣＫの数が第１の前もってセットされた閾数を超えないか、あるいは、ＡＣＫの数が第２の前もってセットされた閾数を超えるか、あるいは、少なくとも１つのＡＣＫがあるとき、第１サブバンドのコンテンションウィンドウサイズは低減されるべきである。他の例として、１つ以上のデータパケットは１つのデータパケットであり、第１サブバンドについての、データパケットに対応するＨＡＲＱ状態がＮＡＣＫであるとき、第１サブバンドのコンテンションウィンドウサイズは、増大されるべきである。他の例として、１つ以上のデータパケットは１つのデータパケットであり、第１サブバンドについての、データパケットに対応するＨＡＲＱ状態がＡＣＫであるとき、第１サブバンドのコンテンションウィンドウサイズは低減されるべきである。
【手続補正１０】
【補正対象書類名】明細書
【補正対象項目名】０２００
【補正方法】変更
【補正の内容】
【０２００】
更に、１つ以上のＣＢＧ  ＨＡＲＱ−ＡＣＫが全てＤＴＸであるとき、第３サブバンドについての、第２データパケットに対応するＨＡＲＱ状態は、ＮＡＣＫとして表され、第１サブバンドのＣＷＳを決定するために使用され（言い換えれば、第１サブバンドについての、第２データパケットに対応するＨＡＲＱ状態は、ＮＡＣＫである）、あるいは、第３サブバンドについて、第２データパケットに対応するＨＡＲＱ状態は、第３サブバンドのＣＷＳの調整中、無視される。
【手続補正１１】
【補正対象書類名】明細書
【補正対象項目名】０２０２
【補正方法】変更
【補正の内容】
【０２０２】
本願のこの実施形態における方法では、一方で、第１デバイスがアクセスネットワークデバイスであり、第２デバイスが端末デバイスであるとき、アクセスネットワークデバイスは、ダウンリンク伝送中に複数の端末デバイスをスケジューリングしてよく、いくつかの端末デバイス（例えば、第２デバイス）はＣＢＧ−ＡＣＫをフィードバックし、他の端末デバイスはＴＢ−ＡＣＫをフィードバックする。ＣＢＧ−ＡＣＫをフィードバックする端末デバイスの場合に、複数のＣＢＧ−ＡＣＫが１つのデータパケット（ＴＢ）についてフィードバックされてよい。ＴＢ−ＡＣＫをフィードバックする端末デバイスの場合に、１つのＴＢ−ＡＣＫが１つのデータパケット（ＴＢ）についてフィードバックされる。２つの異なるタイプのＨＡＲＱ−ＡＣＫに基づきいかにしてＣＷＳを調整するかは、追加の評価及び標準化を必要とし、これはまた、アクセスネットワークデバイスのアルゴリズム複雑性を高める。ＣＢＧ−ＡＣＫをフィードバックする端末デバイスによってフィードバックされるＣＢＧ−ＡＣＫは、ＴＢ−ＡＣＫに変換され。ＣＷＳは、ＴＢ−ＡＣＫ内のＮＡＣＫ又はＡＣＫの割合に基づいて一様に調整される。これは、従来のＣＷＳ調整原理により適応することができ、アルゴリズムも、より簡単になる。
【手続補正１２】
【補正対象書類名】明細書
【補正対象項目名】０２２１
【補正方法】変更
【補正の内容】
【０２２１】
任意に、第３サブバンドのコンテンションウィンドウサイズは、第３サブバンドについての、第２のデータパケットに対応するＨＡＲＱ状態に基づいて決定され、あるいは、第３サブバンドのコンテンションウィンドウサイズは、第３サブバンドについての、第２データパケットに対応する１つ以上のＨＡＲＱ状態に少なくとも１つのＡＣＫがあるかどうか、又は第３サブバンドについての、第２データパケットに対応する１つ以上のＨＡＲＱ状態に少なくとも１つのＮＡＣＫがあるかどうかに基づいて決定されてもよい。
【手続補正１３】
【補正対象書類名】明細書
【補正対象項目名】０２４３
【補正方法】変更
【補正の内容】
【０２４３】
第３データパケットに含まれるいくつかの符号ブロックグループが、第１サブバンドを含む少なくとも２つのサブバンドで運ばれ、例えば、第１符号ブロックグループは第１サブバンド及び第２サブバンドを占有する、と考えると、この場合に、第４サブバンドのチャネル状態も、第１符号ブロックグループに対応するＣＢＧ  ＨＡＲＱ−ＡＣＫに寄与する。従って、第１符号ブロックグループに対応するＣＢＧ  ＨＡＲＱ−ＡＣＫは、第４サブバンドのＣＷＳを調整するためにも使用される。具体的に、第４サブバンドについての、第３データパケットに対応するＨＡＲＱ状態は、第２符号ブロックグループセット内の１つ以上の符号ブロックグループの１つ以上のＣＢＧ  ＨＡＲＱ−ＡＣＫ（第１符号ブロックグループのＣＢＧ  ＨＡＲＱ−ＡＣＫを含む）によって表される。具体的に、第１デバイスは、第４サブバンドについての、第３データパケットに対応するＨＡＲＱ状態に基づいて、第４サブバンドのＣＷＳを決定する。これは、第１サブバンドについて、第３データパケットに対応するＨＡＲＱ状態に基づいて、第１サブバンドのＣＷＳを決定する方法と類似している。
【手続補正１４】
【補正対象書類名】明細書
【補正対象項目名】０２４９
【補正方法】変更
【補正の内容】
【０２４９】
任意に、第４サブバンドのコンテンションウィンドウサイズは、第４サブバンドについての、第３のデータパケットに対応するＨＡＲＱ状態に基づいて決定され、あるいは、第４サブバンドのコンテンションウィンドウサイズは、第４サブバンドについての、第３データパケットセット内のデータパケットに対応するＨＡＲＱ状態に少なくとも１つのＡＣＫがあるかどうか、又は第４サブバンドについての、第３データパケットセット内のデータパケットに対応するＨＡＲＱ状態に少なくとも１つのＮＡＣＫがあるかどうかに基づいて決定されてもよい。
【手続補正１５】
【補正対象書類名】明細書
【補正対象項目名】０２６１
【補正方法】変更
【補正の内容】
【０２６１】
具体的に、第１デバイスが、第１サブバンドのＣＷＳを調整するために、１つ以上のＨＡＲＱ−ＡＣＫを、第３データパケットに対応する第１サブバンドについてのＨＡＲＱ状態（サブバンド−ＡＣＫ呼ばれる）に変換する方法と同様に、第１デバイスは、第４サブバンドのＣＷＳを調整するために、第１ＨＡＲＱ−ＡＣＫと、１つ以上のＣＢＧに含まれかつ第４サブバンドを占有する他のＣＢＧに対応するＨＡＲＱ−ＡＣＫとを、第４サブバンドに対応するＨＡＲＱ状態に変換する。
【手続補正１６】
【補正対象書類名】明細書
【補正対象項目名】０２７５
【補正方法】変更
【補正の内容】
【０２７５】
例えば、図１２中、ＵＥをスケジューリングするためにアクセスネットワークデバイスによって使用されるダウンリンクデータパケット１は、サブバンド１からサブバンド４で運ばれ、サブバンド１からサブバンド４は他のデータパケットを運ばない。データパケット１はＣＢＧ１からＣＢＧ８を含み、ＣＢＧ１からＣＢＧ８は、第２デバイスによってフィードバックされる８つのＣＢＧ  ＨＡＲＱ−ＡＣＫと一対一で対応する。ＣＢＧ１、ＣＢＧ３、ＣＢＧ４、及びＣＢＧ６は、サブバンド１を占有し、ＣＢＧ１、ＣＢＧ２、ＣＢＧ４、ＣＢＧ６、及びＣＢＧ７は、サブバンド２を占有し、ＣＢＧ２、ＣＢＧ５、及びＣＢＧ７は、サブバンド３を占有し、ＣＢＧ３、ＣＢＧ５、及びＣＢＧ８は、サブバンド４を占有する。ＣＢ１及びＣＢＧ６に対応するＣＢＧ−ＡＣＫはＮＡＣＫであり、他のＣＢＧに対応するＣＢＧ−ＡＣＫはＡＣＫである。サブバンド１及びサブバンド２は夫々、ＮＡＣＫに対応するＣＢＧを運ぶので、データパケット１に対応しかつ変換により取得される２つのサブバンドについてのサブバンド−ＡＣＫ（すなわち、サブバンド１についての、データパケット１に対応するＨＡＲＱ状態、及びサブバンド２についての、データパケット１に対応するＨＡＲＱ状態）は、全てＮＡＣＫである。従って、２つのサブバンドＣＷＳは、夫々増大される。サブバンド＃３及びサブバンド＃４で運ばれるＣＢＧは全てＡＣＫに対応するので、データパケット１に対応しかつ変換によって取得される２つのサブバンドについてのサブバンド−ＡＣＫ（すなわち、サブバンド３についての、データパケット１に対応するＨＡＲＱ状態、及びサブバンド４についての、データパケット１に対応するＨＡＲＱ状態）は、全てＡＣＫである。従って、２つのサブバンドのＣＷＳは、夫々、低減される。
【手続補正１７】
【補正対象書類名】明細書
【補正対象項目名】０２７７
【補正方法】変更
【補正の内容】
【０２７７】
本願の実施形態で提供される方法に従って、データパケット内にあって各サブバンドで分配されるＣＢＧ−ＡＣＫは、サブバンドのＣＷＳを調整するために、サブバンドについてのＨＡＲＱ状態に変換される。サブバンドのＣＷＳは、そのサブバンドのチャネル状態によってのみ影響を及ぼされ、他のサブバンドのチャネル状態によっては影響を及ぼされない。従って、サブバンドのＣＷＳは、より正確に決定され得、サブバンドのチャネルアクセス効率は、改善される。
【手続補正１８】
【補正対象書類名】明細書
【補正対象項目名】０２７８
【補正方法】変更
【補正の内容】
【０２７８】
実施例１、実施例３、及び実施例４について、第１データパケットに対応する１つ以上のＨＡＲＱ−ＡＣＫは、第１データパケットによって占有される１つ以上のサブバンドのＣＷＳを調整するために使用されるだけでなく、第１データパケットによって占有されないサブバンド（第５サブバンドと呼ばれる）のＣＷＳを調整するためにも使用される、ことが理解されるべきである。
【手続補正１９】
【補正対象書類名】明細書
【補正対象項目名】０２７９
【補正方法】変更
【補正の内容】
【０２７９】
言い換えれば、第１デバイスは、１つ以上のＨＡＲＱ−ＡＣＫに基づいて第５サブバンドのコンテンションウィンドウサイズＣＷＳを決定し、第５サブバンドは、１つ以上のサブバンドに含まれず、第１デバイスは、情報を基準時間単位で送信するために第５サブバンドを占有しない。
【手続補正２０】
【補正対象書類名】明細書
【補正対象項目名】０２９４
【補正方法】変更
【補正の内容】
【０２９４】
この場合に、１つ以上のデータパケットに対応する第１サブバンドについての１つ以上のＨＡＲＱ情報は、第１サブバンドについての、第５データパケットに対応するＨＡＲＱ状態を含み、第１サブバンドについての、第５データパケットに対応するＨＡＲＱ状態は、第１サブバンドのコンテンションウィンドウサイズを決定するために使用される。
【手続補正２１】
【補正対象書類名】明細書
【補正対象項目名】０２９７
【補正方法】変更
【補正の内容】
【０２９７】
本願のこの実施形態で、サブバンド（例えば、第１サブバンド、第２サブバンド、第３サブバンド、第４サブバンド、又は第５サブバンド）について、第１デバイスがＣＷＳを増大させることは、第１デバイスがＣＷＳを倍にすること、又はｐ（ｐは正の整数である）が調整前のＣＷＳの値であるとして、第１デバイスがＣＷＳを２×ｐ＋１に調整すること、又は第１デバイスがＣＷＳをＣＷＳセット内の次に大きい値に増大させることを意味する、ことが理解されるべきであり、なお、各優先度のＣＷＳセットは、背景で記載されている。更に、ＣＷＳが調整される前に、ＣＷＳがＣＷＳセット内の最大値である場合に、第１デバイスがＣＷＳを増大させることは、第１デバイスがＣＷＳを不変なままとすることを意味する。
【手続補正２２】
【補正対象書類名】明細書
【補正対象項目名】０２９８
【補正方法】変更
【補正の内容】
【０２９８】
本願のこの実施形態で、サブバンド（例えば、第１サブバンド、第２サブバンド、第３サブバンド、第４サブバンド、又は第５サブバンド）について、第１デバイスがＣＷＳを低減させることは、第１デバイスがＣＷＳを半分にすること、又はｐ（ｐは正の整数である）が調整前のＣＷＳの値であるとして、第１デバイスがＣＷＳを（ｐ−１）／２に調整すること、又は第１デバイスがＣＷＳをＣＷＳセット内の次に小さい値に低減させることを意味する、ことが理解されるべきであり、なお、各優先度のＣＷＳセットは、背景で記載されている。更に、ＣＷＳが調整される前に、ＣＷＳがＣＷＳセット内の最小値である場合に、第１デバイスがＣＷＳを低減させることは、第１デバイスがＣＷＳを不変なままとすることを意味する。
【手続補正２３】
【補正対象書類名】明細書
【補正対象項目名】０２９９
【補正方法】変更
【補正の内容】
【０２９９】
本願のこの実施形態で、一方で、基準時間単位を決定するとき、第１デバイスは、スケジューリングされるべき第４データパケットによって基準時間単位として占有される時間単位を決定してよく、実施アルゴリズムは比較的に簡単である。他方で、第５サブバンドのＣＷＳは場合により増大されるので、第５サブバンドでの周囲ノードとの友好的な共存は実装可能である。
【手続補正２４】
【補正対象書類名】明細書
【補正対象項目名】０３０４
【補正方法】変更
【補正の内容】
【０３０４】
上記の２つの方法で、第１デバイスは、基準時間単位で情報を送信するために２つの異なるサブバンド、例えば、ｐ番目のサブバンド及びｊ番目のサブバンドを占有し、ｐ≠ｊである、ことが理解されるべきである。ｐ番目のサブバンドで運ばれるデータパケットの数及びセットは夫々、ｊ番目のサブバンドで運ばれるデータパケットの数及びセットと同じであっても又は異なってもよく、ｐは自然数である。言い換えれば、ｐ番目のサブバンドのＨＡＲＱ状態セットに含まれる要素（ＨＡＲＱ状態の数及び／又はＨＡＲＱ状態に対応するデータパケット）は、ｊ番目のサブバンドのＨＡＲＱ状態セットに含まれる要素（ＨＡＲＱ状態の数及び／又はＨＡＲＱ状態に対応するデータパケット）と同じであっても又は異なってもよい。例えば、基準時間単位で第１デバイスによって送信される複数のデータパケットにおいて、データパケット１、データパケット２、及びデータパケット３は、ｊ番目のサブバンドを占有し、データパケット３及びデータパケット４は、ｐ番目のサブバンドを占有する。この場合に、ｊ番目のサブバンドのＨＡＲＱ−ＡＣＫセットは、データパケット１、データパケット２、及びデータパケット３に対応する３つのＨＡＲＱ状態を含み、ｐ番目のサブバンドのＨＡＲＱ−ＡＣＫセットは、データパケット３及びデータパケット４に対応する２つのＨＡＲＱ状態を含む。
【手続補正２５】
【補正対象書類名】明細書
【補正対象項目名】０３１３
【補正方法】変更
【補正の内容】
【０３１３】
任意に、複数のサブバンドは、第２サブバンドを更に含み、処理ユニット１４３０は、ＴＢ  ＨＡＲＱ−ＡＣＫに基づいて第２サブバンドのコンテンションウィンドウサイズを決定するよう更に構成される。
【手続補正２６】
【補正対象書類名】明細書
【補正対象項目名】０３１５
【補正方法】変更
【補正の内容】
【０３１５】
可能な実施において、第２データパケットは、少なくとも第１サブバンド及び第３サブバンドで運ばれ、処理ユニット１４３０は、１つ以上のＣＢＧ  ＨＡＲＱ−ＡＣＫに基づいて第３サブバンドのコンテンションウィンドウサイズを更に決定する。
【手続補正２７】
【補正対象書類名】明細書
【補正対象項目名】０３１７
【補正方法】変更
【補正の内容】
【０３１７】
更に、第１符号ブロックグループセットは、第１符号ブロックグループを含み、第１符号ブロックグループは、第１サブバンド及び第４サブバンドを占有し、第３データパケットは、第２符号ブロックグループセットを更に含み、第２符号ブロックグループセットは、第４サブバンドを占有する１つ以上の符号ブロックグループから成り、第２符号ブロックグループセットは、第１符号ブロックグループを含み、処理ユニット１４３０は、第１符号ブロックグループに対応するＣＢＧ  ＨＡＲＱ−ＡＣＫに基づいて第４サブバンドのコンテンションウィンドウサイズを更に決定する。
【手続補正２８】
【補正対象書類名】明細書
【補正対象項目名】０３２２
【補正方法】変更
【補正の内容】
【０３２２】
更に、本願の実施形態における態様又は特徴は、標準のプログラミング及び／又はエンジニアリング技術を使用する方法、装置、又は製品として実装されてよい。本願で使用される「製品」との語は、如何なるコンピュータ可読コンポーネント、担体、又は媒体からもアクセスされ得るコンピュータプログラムをカバーする。例えば、コンピュータ可読媒体は、制限なしに、磁気記憶コンポーネント（例えば、ハードディスク、フロッピーディスク、若しくは磁気テープ）、光ディスク（例えば、コンパクトディスク（compact  disc，ＣＤ）、デジタル・バーサタイル・ディスク（digital  versatile  disc，ＤＶＤ））、スマートカード及びフラッシュメモリコンポーネント（例えば、消去可能なプログラム可能リード・オンリー・メモリ（erasable  programmable  read-only  memory，ＥＰＲＯＭ）、カード、スティック、又はキードライブ）を含んでよい。その上、本願で記載される様々な記憶媒体は、情報を記憶するよう構成される１つ以上のデバイス及び／又は他のマシン可読媒体を示してよい。「マシン可読媒体」との語は、制限なしに、無線チャネルと、命令及び／又はデータを記憶、包含、及び／又は搬送することができる様々な他の媒体とを含んでよい。